(57)【要約】【課題】            使用後に携行しなければならない場合の傘の表面は濡れたままとなっており、周囲の人や商品を濡らしてしまうことであり、プラットホームや階段、車内の床面を濡らしてしまうために滑り易く、不測の事故を発生させてしまうおそれがあるという点で、折り畳み式の場合にも鞄等に入れるには好ましい状態ではないという点である。【解決手段】        傘布の裏面側にポケットを備えていることとし、前記したポケットは隣接する親骨間に配置され、かつ、一つの親骨と傘布の折り畳みラインまでの幅を有するものとしてあることとし、前記したポケットの開口部は傘布の外周縁方向に向けられていることとし、前記したポケットの開口部にはファスナー、ホック、釦、ループ式面ファスナー等の開閉手段が備えられていることとし、前記したポケットは透明素材で成形されていることとし、前記したポケット内に、吸水材を収納しておくこととする。【選択図】          図１
2005318919.tif 000002
【特許請求の範囲】
【請求項１】
傘布の裏面側にポケットを備えていることを特徴とする傘。
【請求項２】
前記したポケットは隣接する親骨間に配置され、かつ、一つの親骨と傘布の折り畳みラインまでの幅を有するものとしてあることを特徴とする請求項１に記載の傘。
【請求項３】
前記したポケットの開口部は傘布の外周縁方向に向けられていることを特徴とする請求項１または請求項２に記載の傘。
【請求項４】
前記したポケットの開口部にはファスナー、ホック、釦、ループ式面ファスナー等の開閉手段が備えられていることを特徴とする請求項１、請求項２または請求項３に記載の傘。
【請求項５】
前記したポケットは透明素材で成形されていることを特徴とする請求項１、請求項２、請求項３または請求項４に記載の傘。
【請求項６】
前記したポケット内に、吸水材を収納しておくことを特徴とする請求項１、請求項２、請求項３、請求項４または請求項５に記載の傘。
【発明の詳細な説明】
【技術分野】
【０００１】
本発明は傘、それも主として洋傘に関し、特に雨中での使用後に周囲を濡らすことなく、携行にも便利なものとなる傘に関する。
【背景技術】
【０００２】
従来より、傘は使用した後に電車やバス等の交通機関に乗り込む際等には閉じて、せいぜい付属のベルト等により束ねて所持されることとなる。そのため、傘の表面側は濡れたままの状態となっており、周囲の人々の衣服を濡らしてしまい、また、傘からのしずくがプラットホームや階段のほか、車内の床面を濡らし、滑り易い状態としてしまい、不測の事故の原因ともなり、非常に危険なものとなっている。
【０００３】
また、デパートや量販店、大型書店等では人口に放置してある使い捨ての傘袋を利用するサービスもあるが、この傘袋は内部にしずくが溜ってしまい不安定となったり、抜け落ちてしまい床面や周囲を汚し濡らしてしまうことも多い。
【０００４】
さらに、折り畳み傘の場合でも、多くは使用後に長いまま閉じて束ね、持ち歩くのが通例で、予め用意があれば買物用のプラスチック袋等内に折り畳んで入れ、鞄に入れることもあるが、かかる場合は鞄内が湿っぽくなり、書類や携帯電話機等をはじめとする電子機器類への悪影響も考えられる。
【特許文献１】実開平５−３４９１５号公報
【特許文献２】登録実用新案第３０７２１９９号公報
【発明の開示】
【発明が解決しようとする課題】
【０００５】
本発明が解決しようとする問題点は、使用後に携行しなければならない場合の傘の表面は濡れたままとなっており、周囲の人や商品を濡らしてしまうことであり、プラットホームや階段、車内の床面を濡らしてしまうために滑り易く、不測の事故を発生させてしまうおそれがあるという点で、折り畳み式の場合にも鞄等に入れるには好ましい状態ではないという点である。
【０００６】
また、目的地へ向かう場合、不案内な地にあって地図を確認したり、連絡の電話をかけたい際に、片手で傘を持っての歩行中には非常に煩わしく、一々鞄内や服のポケット等からメモ等を取り出す作業は大変で、どうしても傘が傾き、雨に濡れざるを得ない状況となってしまう点である。
【課題を解決するための手段】
【０００７】
この問題点を解決するために、本発明に係る傘は傘布の裏面側にポケットを備えていることを特徴とし、前記したポケットは隣接する親骨間に配置され、かつ、一つの親骨と傘布の折り畳みラインまでの幅を有するものとしてあることを特徴とし、前記したポケットの開口部は傘布の外周縁方向に向けられていることを特徴とし、前記したポケットの開口部にはファスナー、ホック、釦、ループ式面ファスナー等の開閉手段が備えられていることを特徴とし、前記したポケットは透明素材で成形されていることを特徴としている。
【０００８】
また、本発明に係る傘は前記したポケット内に、吸水材を収納しておくことを特徴としている。
【発明の効果】
【０００９】
上記した構成としたことによって、使用後にただちに濡れた傘布を吸水材によって拭い取ることができるようになり、周囲を濡らして迷惑をかけることもなくなり、水による滑りに起因する不測の事故も防止できる。また、折り畳み傘の場合には水分を拭い取ってから、そのまま鞄等へしまい入れることも可能となり、鞄内部の書類や電子機器等へ悪影響を与えてしまうこともない。さらにはポケットを透明とすることで簡単な地図やメモを入れ、傘をさしながら確認しつつ歩行することもできるものとなる。
【発明を実施するための最良の形態】
【００１０】
実施例として図面に示す形態とすることによって実現した。
【実施例１】
【００１１】
次に、本発明の好ましい実施例を図面を参照して説明する。図１は本発明を実施した傘を示し、開いた状態の斜視図、図２は同じく要部の裏面図、図３は同じく閉じかけた状態の要部裏面図、図４は同じく閉じた状態を示す斜視図、図５は同じく折り畳み式の傘に実施した例を示し、畳みかけた状態の斜視図、図６は同じく畳み込んだ状態を示す斜視図、図７は同じく二段式折り畳み傘に実施した例を示し、畳みかけた状態を示す斜視図である。
【００１２】
これらの図にあって１は傘本体を示している。この傘本体１は先端に取手（グリップ）９を備えた主軸８を有しており、この主軸８に沿って、特に図示しないろくろがスライド自在に取り付けられており、そのろくろに複数本（通例は八本程度）の支持骨の一端が連結され、その支持骨の他端は親骨２、２‥の略中間に連結されている。前記したろくろは開いた状態、閉じた状態でロックされるのが一般的である。
【００１３】
また、親骨２、２‥の外表面には合成繊維等で成形された傘布３が張設されており、この傘布３は最大に開いた状態で張り、閉じた状態で緩められるが、傘布３には隣接する親骨２、２の略中間位置で内方へ向けて折り畳まれる折り畳みライン４、４‥が形成されている。
【００１４】
前記した一本の親骨２と折り畳みライン４の幅内にはポケット５が備えられている。本実施例にあってこのポケット５は一枚の布地で開口部５ａを残して接着、縫着等の手段により取り付け形成されているもので、位置的に親骨２や折り畳みライン４を避けることで閉じる際の障害となることはない。
【００１５】
本実施例にあって、ポケット５の開口部５ａは傘布３の外周縁方向に向けられており、その開口部５ａの縁には釦孔５ｂが形成され、傘布３の外周縁近傍に備えられた釦６と掛け合わされることで開口部５ａの開閉が行なわれるようになっている。なお、この釦６と釦孔５ｂとによる開閉手段はこれにこだわるものではなく、ファスナーやホック釦、ループ式面状ファスナー等によって代替できることは勿論である。
【００１６】
そして、本実施例にあって、ポケット５内には傘本体１を使用後に傘布３の表面から、水滴、水分を拭い取るための吸水材７が収納されている。この吸水材７としては一般的なハンカチーフ、タオル、ティッシュペーパー等でもよいが、高分子系の親水コロイドを含んだナプキン（シート）が吸水率が高く、複数回の繰り返し使用も可能となるので特に適している。
【００１７】
さらに、前記したポケット５をビニール、ポリエチレン等のプラスチック製透明フィルムにより成形することもできる。ポケット５を透明の素材で成形すると、そのポケット５内に簡単な地図やメモ等を収納しておき、それを雨中を歩きながら確認することも可能となり、雨中で鞄や衣服のポケット等から地図やメモを出して確認をする煩わしさを解消することができる。なお、図中１０は石突を示している。
【００１８】
本実施例に係る傘は上述のように構成されている。そのため、使用後にはすぐに傘布３の水分を拭い取ることができるので、電車やバス等の公共乗物に乗るについても他人に迷惑をかけることがなく、床面や周囲を濡らすことがないので、不測の事故を未然に防止することができ、特に折り畳み式の傘にあっては水滴を拭い取った後に初期状態として鞄内等にしまってしまうこともでき、手の自由性も確保することができることとなり、公共のエチケットの向上や傘を遺失物としてしまう事態の減少にも効果がある。
【産業上の利用可能性】
【００１９】
本発明に係る傘は上記のように構成されている。実施例では洋傘を対象としているが、和傘への対応も可能である。また、ポケットも実施例では角型として示しているが、これにこだわるものではなく、半円や楕円形等をはじめ種々の異形とすることもでき、色彩や絵柄も施せばファッションとしてのポイントとしても効果を奏することができるものとなっている。
【図面の簡単な説明】
【００２０】
【図１】本発明を実施した傘を示し、開いた状態の斜視図である。
【図２】要部の裏面図である。
【図３】閉じかけた状態の要部裏面図である。
【図４】閉じた状態を示す斜視図である。
【図５】折り畳み式の傘に実施した例を示し、畳みかけた状態の斜視図である。
【図６】畳み込んだ状態を示す斜視図である。
【図７】二段式折り畳み傘に実施した例を示し、畳みかけた状態を示す斜視図である。
【符号の説明】
【００２１】
１    傘本体
２    親骨
３    傘布
４    折り畳みライン
５    ポケット
５ａ  開口部
５ｂ  釦孔
６    釦
７    吸水材
８    主軸
９    取手（グリップ）
１０  石突
【図１】
2005318919.tif 000003
【図２】
2005318919.tif 000004
【図３】
2005318919.tif 000005
【図４】
2005318919.tif 000006
【図５】
2005318919.tif 000007
【図６】
2005318919.tif 000008
【図７】
2005318919.tif 000009